(57)【要約】【課題】配達票及び貼付票が、それぞれ対向する貼着層によってシートに貼着され、配達票がシートから剥離可能に構成された配送ラベルにおいて、貼付票が配送途中においては剥離しにくく、配送後に容易に剥離する。【解決手段】貼付票１２を、下基材２０との貼着面に積層された剥離層５２によって下基材２０から剥離可能に構成し、剥離層５２による貼付票１２の下基材２０からの剥離強度が、配達票１１の下基材２０との貼着面に積層された剥離層５１による配達票１１の下基材２０からの剥離強度よりも強いものとする。【選択図】図１
2015085595.tif 000002
【特許請求の範囲】
【請求項１】
配達票と貼付票とが切り離し線を介して分離可能に連接した第１のシートと、
前記第１のシートの一方の面側に配置され、前記配達票及び前記貼付票に対向する領域に積層された第１の貼着層によって前記配達票及び前記貼付票が貼着された第２のシートと、
前記第２のシートの前記配達票及び前記貼付票との貼着面とは反対側の面に積層された第２の貼着層によって前記第２のシートに剥離可能に貼着された第３のシートとを有し、
前記配達票が、前記第２のシートとの貼着面に積層された第１の剥離層によって前記第２のシートから剥離可能に構成され、前記第２のシートから前記第３のシートが剥離されて前記第２の貼着層によって被着体に貼着されて使用される配送ラベルにおいて、
前記貼付票は、前記第２のシートとの貼着面に積層された第２の剥離層によって前記第２のシートから剥離可能に構成され、
前記第２の剥離層による前記貼付票の前記第２のシートからの剥離強度が、前記第１の剥離層による前記配達票の前記第２のシートからの剥離強度よりも強いことを特徴とする配送ラベル。
【請求項２】
請求項１に記載の配送ラベルにおいて、
前記第１の剥離層は、前記配達票の前記第２のシートとの貼着面の全面に剥離剤が塗工されることによって積層され、
前記第２の剥離層は、前記貼付票の前記第２のシートとの貼着面に網点状に剥離剤が塗工されることによって積層されている配送ラベル。
【請求項３】
請求項２に記載の配送ラベルにおいて、
前記第１の貼着層は、前記貼付票に対向する領域が、網点状に粘着剤が塗工されることによって積層され、
前記第１の貼着層を構成する粘着剤の１つの網点の大きさが、前記第２の剥離層を構成する剥離剤の１つの網点の大きさよりも小さい配送ラベル。
【請求項４】
請求項１乃至３のいずれか１項に記載の配送ラベルにおいて、
前記第２の剥離層は、前記貼付票を前記第２のシートから剥離する際の剥離開始端部と、前記貼付票の周縁部に囲まれた領域とにおける前記第２のシートからの剥離強度が、それ以外の領域における剥離強度よりも弱い配送ラベル。
【発明の詳細な説明】
【技術分野】
【０００１】
本発明は、配達票と貼付票とを有してなる配送ラベルにおいて、配達票のみならず貼付票を剥離可能とする技術に関する。
【背景技術】
【０００２】
従来より、配送物を配送する場合、配送物の配送元及び配送先の住所や氏名あるいは名称等の配送情報が印字された配送ラベルが用いられている。このような配送ラベルは、上述したような配送情報が印字され、裏面に塗工された粘着剤によって配送物に貼着されて使用される。そして、配送物が配送先に配送された後、配送物に貼着された配送ラベルの一部が配送ラベルから分離され、配送業者等にて持ち帰られることになる。
【０００３】
図４は、一般的な配送ラベルの一例を示す図であり、（ａ）は正面図、（ｂ）は（ａ）に示したＡ−Ａ’断面図、（ｃ）は（ａ）に示したＢ−Ｂ’断面図、（ｄ）は上基材５１０の裏面の構成を示す図、（ｅ）は下基材５２０の表面の構成を示す図である。
【０００４】
本例は図４に示すように、剥離紙５３０上に下基材５２０と上基材５１０とが積層されて構成された配送ラベル５０１である。
【０００５】
剥離紙５３０は、剥離台紙５３１の一方の面に剥離剤５３２が塗工されることによって構成されている。この剥離紙５３０の剥離剤５３２が塗工された面に下基材５２０が積層され、下基材５２０の裏面に粘着剤が塗工されることによって積層された貼着層５４２を介して下基材５２０が剥離紙５３０に剥離可能に貼着されている。
【０００６】
上基材５１０は、配達票５１１と貼付票５１２とがスリット５１３を介して分離可能に連接して構成されている。配達票５１１及び貼付票５１２のそれぞれには、この配送ラベル５０１が貼着されて配送される配送物の配送元及び配送先の住所や氏名あるいは名称等の配送情報が印字される配送情報印字領域５１１ａ，５１２ａが設けられている。また、配達票５１１には、この配送ラベル５０１が貼着されて配送される配送物の配送先にて受領印を押下するための押印領域５１１ｂが設けられている。
【０００７】
下基材５２０の表面にはその全面に粘着剤５４１ａが塗工されることによって貼着層５４１が積層されており、この貼着層５４１によって下基材５２０に上基材５１０が貼着されているが、上基材５１０のうち配達票５１１の裏面にはその全面に剥離剤５５０ａが塗工されることによって剥離層５５０が積層されており、それにより、配達票５１１は下基材５２０に剥離可能に貼着されている。そして、配達票５１１の角部の１つを含む領域が、下基材５２０から配達票５１１を剥離する際の剥離開始端部５１１ｃとなっている。
【０００８】
以下に、上記のように構成された配送ラベル５０１の使用方法について説明する。
【０００９】
図５は、図４に示した配送ラベル５０１の使用方法を説明するための図である。
【００１０】
図４に示した配送ラベル５０１は、まず、図５（ａ）に示すように、配達票５１１及び貼付票５１２のそれぞれに設けられた配送情報印字領域５１１ａ，５１２ａに、この配送ラベル５０１が貼着されて配送される配送物の配送元及び配送先の住所や氏名あるいは名称等の配送情報５１１ｄ，５１２ｄが印字された後、下基材５２０が剥離紙５３０から剥離される。
【００１１】
下基材５２０が剥離紙５３０から剥離された配送ラベル５０１は、下基材５２０の裏面に塗工された粘着剤５４２ａが表出し、図５（ｂ）に示すように、この粘着剤５４２ａによって、配送物が収納された段ボール箱５０２に貼着される。
【００１２】
配送ラベル５０１が段ボール箱５０２に貼着された配送物が、配送情報印字領域５１１ａ，５１２ａに印字された配送情報５１１ｄ，５１２ｄに従って配送先に届けられると、配達票５１１の押印領域５１１ｂに受領印が押下され、図５（ｃ），（ｄ）に示すように、配達票５１１が、剥離開始端部５１１ｃを剥離開始端として下基材５２０から剥離され、配送ラベル５０１から分離される。配達票５１１は、裏面に剥離剤５５０ａが塗工されていることにより下基材５２０から剥離できるとともに、貼付票５１２とはスリット５１３を介して分離可能に連接しているため、配送ラベル５０１から分離することができる。
【００１３】
このように配送ラベル５０１から分離した配達票５１１は、配送業者等にて持ち帰られることになる。
【００１４】
一方、上述したようにして配送された配送物の段ボール箱５０２には、貼付票５１２が貼着されたままの状態となっている。この貼付票５１２には、配送物の配送元及び配送先の住所や氏名あるいは名称等の配送情報５１２ｄが配送情報印字領域５１２ａに印字されているため、段ボール箱５０２から配送物を取り出した後に段ボール箱５０２を廃棄する際、配送情報５１２ｄの漏洩を回避するために貼付票５１２を段ボール箱５０２から剥離することが好ましい。
【００１５】
ところが、貼付票５１２は、配達票５１１のように下基材５２０との貼着面に剥離層５５０が積層されているわけではなく、粘着層５４１によって上基材５１０が下基材５２０に直接貼着されているため、下基材５２０から剥離することが困難である。
【００１６】
ここで、配達票がミシン目によって分離可能となった配送用伝票において、貼付票もミシン目によって分離可能に構成し、さらに、貼付票の裏面に粘着剤を部分的に塗布してベース基材に貼着しておくことにより、配送物の配送後に、ミシン目を破断しながら貼付票をベース基材から剥離可能とする配送用伝票が、例えば特許文献１に開示されている。この配送用伝票においては、配達票と貼付票とがそれぞれミシン目によって配送用伝票から分離可能となっているものの、貼付票においては、その裏面に粘着剤が部分的に塗布されているため、配送途中において万が一ミシン目が破断したとしてもベース基材に貼着された状態となり、それにより、配送途中においては配送用伝票から分離しにくく、かつ、配送物の配送後において分離可能な構成となっている。
【先行技術文献】
【特許文献】
【００１７】
【特許文献１】実用新案登録第３１２０６３９号公報
【発明の概要】
【発明が解決しようとする課題】
【００１８】
特許文献１に開示されたものにおいては、貼付票の裏面に粘着剤が部分的にしか塗布されていない構成となっているため、ミシン目の外側の領域において、貼付票を構成するシートとベース基材とが貼着されている必要がある。すなわち、特許文献１に開示されたものにおいては、配達票及び貼付票がミシン目によって分離可能に区画形成されたシートがベース基材に貼着された構成となっていることにより、貼付票の裏面に粘着剤が部分的にしか塗布されていない構成を実現することができている。
【００１９】
そのため、配達票と貼付票とを有するシートがこれら配達票と貼付票のみからなる場合、すなわち、特許文献１に開示されたもののようにミシン目の外側の領域が存在しないラベルにおいては、そのような構成を実現することが困難である。例え、実現したとしても、貼付票の裏面に粘着剤が部分的にしか塗布されていないため、配送物の配送途中において、貼付票の粘着剤が塗布されていない部分において貼付票とベース基材との間に指等が挟まって、そこから、貼付票とベース基材とが剥離してしまう虞れがある。
【００２０】
本発明は、上述したような従来の技術が有する問題点に鑑みてなされたものであって、配達票及び貼付票が、それぞれ対向する貼着層によってシートに貼着され、配達票がシートから剥離可能に構成された配送ラベルにおいて、貼付票が配送途中においては剥離しにくく、配送後に容易に剥離することができる配送ラベルを提供することを目的とする。
【課題を解決するための手段】
【００２１】
上記目的を達成するために本発明は、
配達票と貼付票とが切り離し線を介して分離可能に連接した第１のシートと、
前記第１のシートの一方の面側に配置され、前記配達票及び前記貼付票に対向する領域に積層された第１の貼着層によって前記配達票及び前記貼付票が貼着された第２のシートと、
前記第２のシートの前記配達票及び前記貼付票との貼着面とは反対側の面に積層された第２の貼着層によって前記第２のシートに剥離可能に貼着された第３のシートとを有し、
前記配達票が、前記第２のシートとの貼着面に積層された第１の剥離層によって前記第２のシートから剥離可能に構成され、前記第２のシートから前記第３のシートが剥離されて前記第２の貼着層によって被着体に貼着されて使用される配送ラベルにおいて、
前記貼付票は、前記第２のシートとの貼着面に積層された第２の剥離層によって前記第２のシートから剥離可能に構成され、
前記第２の剥離層による前記貼付票の前記第２のシートからの剥離強度が、前記第１の剥離層による前記配達票の前記第２のシートからの剥離強度よりも強いことを特徴とする。
【００２２】
上記のように構成された本発明においては、貼着された配送物が配送先に配送された後、配達票が第２のシートから剥離されて配送業者にて回収される。また、貼付票においても、第２のシートから剥離可能に構成されているため、配送先において第２のシートから剥離することができる。ここで、貼付票は、第２のシートとの貼着面に積層された第２の剥離層によって第２のシートから剥離可能に構成されているが、第２の剥離層による貼付票の第２のシートからの剥離強度が、配達票の第２のシートとの貼着面に積層された第１の剥離層による配達票の第２のシートからの剥離強度よりも強いため、配達票を第２のシートから剥離する際の剥離力よりも大きな剥離力で剥離しようとしない限り、貼付票が第２のシートから剥離することはなく、それにより、配送途中においては貼付票が剥離しにくい状態とすることができる。
【００２３】
また、上述した構成は例えば、配達票の第２のシートとの貼着面の全面に剥離剤が塗工されることによって第１の剥離層が積層され、貼付票の前記第２のシートとの貼着面に網点状に剥離剤が塗工されることによって第２の剥離層が積層されることが考えられる。その場合、貼付票と第２のシートとは、剥離可能に貼着されているものの、剥離剤を介さずに第１の貼着層のみによって貼着されている領域が存在し、それにより、貼付票が配送途中において不用意に第２のシートから剥離しにくくなる。
【００２４】
またそのような構成において、第１の貼着層のうち貼付票に対向する領域が、網点状に粘着剤が塗工されることによって積層され、第１の貼着層を構成する粘着剤の１つの網点の大きさが、第２の剥離層を構成する剥離剤の１つの網点の大きさよりも小さいものとすれば、貼付票を第２のシートから剥離する際に紙剥けが生じにくくなる。
【００２５】
また、第２の剥離層において、貼付票を第２のシートから剥離する際の剥離開始端部と、貼付票の周縁部に囲まれた領域とにおける第２のシートからの剥離強度が、それ以外の領域における剥離強度よりも弱い構成とすれば、貼付票を不用意に剥離しにくくしながらも、貼付票を剥離開始端部から意図的に剥離し始めた場合に容易に剥離することができる。
【発明の効果】
【００２６】
本発明によれば、貼付票を、第２のシートとの貼着面に積層された第２の剥離層によって第２のシートから剥離可能に構成し、第２の剥離層による貼付票の第２のシートからの剥離強度が、配達票の第２のシートとの貼着面に積層された第１の剥離層による配達票の第２のシートからの剥離強度よりも強いものとしたため、配達票及び貼付票が、それぞれ対向する貼着層によってシートに貼着され、配達票がシートから剥離可能に構成された配送ラベルにおいて、貼付票が配送途中においては剥離しにくく、配送後に容易に剥離することができる。
【００２７】
また、配達票の第２のシートとの貼着面の全面に剥離剤が塗工されることによって第１の剥離層が積層され、貼付票の第２のシートとの貼着面に網点状に剥離剤が塗工されることによって第２の剥離層が積層されているものにおいては、貼付票と第２のシートとは、剥離可能に貼着されているものの、剥離剤を介さずに第１の貼着層のみによって貼着されている領域が存在し、それにより、配送途中において不用意に貼付票を第２のシートから剥離しにくくすることができる。
【００２８】
またそのような構成において、第１の貼着層のうち貼付票に対向する領域が、網点状に粘着剤が塗工されることによって積層され、第１の貼着層を構成する粘着剤の１つの網点の大きさが、第２の剥離層を構成する剥離剤の１つの網点の大きさよりも小さいものにおいては、貼付票を第２のシートから剥離する際に紙剥けを生じにくくすることができる。
【００２９】
また、第２の剥離層において、貼付票を第２のシートから剥離する際の剥離開始端部と、貼付票の周縁部に囲まれた領域とにおける第２のシートからの剥離強度が、それ以外の領域における剥離強度よりも弱いものにおいては、貼付票を不用意に剥離しにくくしながらも、貼付票を剥離開始端部から意図的に剥離し始めた場合に容易に剥離することができる。
【図面の簡単な説明】
【００３０】
【図１】本発明の配送ラベルの実施の一形態を示す図であり、（ａ）は正面図、（ｂ）は（ａ）に示したＡ−Ａ’断面図、（ｃ）は（ａ）に示したＢ−Ｂ’断面図、（ｄ）は（ａ）に示したＣ−Ｃ’断面図、（ｅ）は上基材の裏面の構成を示す図、（ｆ）は下基材の表面の構成を示す図である。
【図２】図１に示した配送ラベルの使用方法を説明するための図である。
【図３】本発明の配送ラベルの他の実施の形態を示す図であり、（ａ）は正面図、（ｂ）は（ａ）に示したＡ−Ａ’断面図、（ｃ）は（ａ）に示したＢ−Ｂ’断面図、（ｄ）は（ａ）に示したＣ−Ｃ’断面図、（ｅ）は上基材の裏面の構成を示す図、（ｆ）は下基材の表面の構成を示す図である。
【図４】一般的な配送ラベルの一例を示す図であり、（ａ）は正面図、（ｂ）は（ａ）に示したＡ−Ａ’断面図、（ｃ）は（ａ）に示したＢ−Ｂ’断面図、（ｄ）は上基材の裏面の構成を示す図、（ｅ）は下基材の表面の構成を示す図である。
【図５】図４に示した配送ラベルの使用方法を説明するための図である。
【発明を実施するための形態】
【００３１】
以下に、本発明の実施の形態について図面を参照して説明する。
【００３２】
図１は、本発明の配送ラベルの実施の一形態を示す図であり、（ａ）は正面図、（ｂ）は（ａ）に示したＡ−Ａ’断面図、（ｃ）は（ａ）に示したＢ−Ｂ’断面図、（ｄ）は（ａ）に示したＣ−Ｃ’断面図、（ｅ）は上基材１０の裏面の構成を示す図、（ｆ）は下基材２０の表面の構成を示す図である。
【００３３】
本形態は図１に示すように、第３のシートである剥離紙３０上に、第２のシートである下基材２０と、第１のシートである上基材１０とが積層されて構成された配送ラベル１である。
【００３４】
剥離紙３０は、剥離台紙３１の一方の面に剥離剤３２が塗工されることによって構成されている。この剥離紙３０の剥離剤３２が塗工された面に下基材２０が積層され、下基材２０の裏面に粘着剤が塗工されることによって積層された第２の貼着層４２を介して下基材２０が剥離紙３０に剥離可能に貼着されている。
【００３５】
上基材１０は、配達票１１と貼付票１２とが切り離し線となるスリット１３を介して分離可能に連接して構成されている。配達票１１及び貼付票１２のそれぞれには、この配送ラベル１が貼着されて配送される配送物の配送元及び配送先の住所や氏名あるいは名称等の配送情報が印字される配送情報印字領域１１ａ，１２ａが設けられている。また、配達票１１には、この配送ラベル１が貼着されて配送される配送物の配送先にて受領印を押下するための押印領域１１ｂが設けられている。
【００３６】
また、上基材１０には、その裏面のうち配達票１１の裏面の全面に剥離剤５１ａが塗工されることによって第１の剥離層５１が積層され、また、貼付票１２の裏面に印刷濃度が５０％で１３３線／インチのスクリーン印刷で網点状に剥離剤５２ａが塗工されることによって第２の剥離層５２が積層されている。
【００３７】
下基材２０には、その表面のうち配達票１１に対向する領域に所定の形状に粘着剤４１ａ，４１ｂが塗工されることによって貼着層４１が積層され、また、貼付票１２に対向する領域には、印刷濃度が５０％で１７５線／インチのスクリーン印刷で網点状に粘着剤４３ａが塗工されることによって貼着層４３が積層されている。これにより、貼付票１２に対向する領域に貼着層４３を積層するために塗工された粘着剤４３ａの１つの網点の大きさが、貼付票１２の裏面に剥離層５２を積層するために塗工された剥離剤５２ａの１つの網点の大きさよりも小さいものとなっている。これら貼着層４１，４３が第１の貼着層となって下基材２０と上基材１０とが貼着されているが、上基材１０のうち配達票１１は、剥離層５１によって下基材２０から剥離可能に構成され、貼付票１２は、剥離層５２によって下基材２０から剥離可能に構成されている。そして、配達票１１の角部の１つを含む領域が、下基材２０から配達票１１を剥離する際の剥離開始端部１１ｃとなっており、その旨を示す印刷が施されている。また、貼付票１２の角部の１つを含む領域が、下基材２０から貼付票１２を剥離する際の剥離開始端部１２ｂとなっており、その旨を示す印刷が施されている。
【００３８】
粘着剤４１ｂは、配達票１１に対向する領域の周縁部のうち、剥離開始端部１１ｃに対向する領域を除く部分に、例えば、印刷濃度が５０％のスクリーン印刷で塗工されており、また、粘着剤４１ａは、粘着剤４１ｂに囲まれた領域において、剥離開始端部１１ｃに対向する領域から、配達票１１の剥離方向に断続的に延びた複数の直線状に塗工されている。なお、剥離開始端部１１ｃに対向する領域は、粘着剤４１ａ，４１ｂが塗工されていないのり抜き部１５となっている。
【００３９】
このようにして、配達票１１及び貼付票１２が下基材２０に剥離可能に貼着されているが、配達票１１の裏面に積層された剥離層５１が、配達票１１の裏面の全面に剥離剤５１ａが塗工されることによって構成され、また、貼付票１２の裏面に積層された剥離層５２が、貼付票１２の裏面に印刷濃度が５０％で１３３線／インチのスクリーン印刷で網点状に剥離剤５２ａが塗工されることによって構成されていることにより、剥離層５２による貼付票１２の下基材２０からの剥離強度が、剥離層５１による配達票１１の下基材２０からの剥離強度よりも強くなっている。なお、剥離剤５２ａの印刷濃度等においては、上基材１０や下基材２０の表面強度や、粘着剤４３ａの接着強度に応じて設定され、印刷濃度が３０〜７０％で８０線／インチ以上のスクリーン印刷によって剥離剤５２ａを塗工することで剥離層５２を積層することが考えられる。また、粘着剤４３ａの印刷濃度においても適宜設定可能であるが、粘着剤４３ａの１つの網点の大きさが、剥離剤５２ａの１つの網点の大きさよりも小さいものであることが好ましい。
【００４０】
以下に、上記のように構成された配送ラベル１の使用方法について説明する。
【００４１】
図２は、図１に示した配送ラベル１の使用方法を説明するための図である。
【００４２】
図１に示した配送ラベル１は、まず、図２（ａ）に示すように、配達票１１及び貼付票１２のそれぞれに設けられた配送情報印字領域１１ａ，１２ａに、この配送ラベル１が貼着されて配送される配送物の配送元及び配送先の住所や氏名あるいは名称等の配送情報１１ｄ，１２ｄが印字された後、下基材２０が剥離紙３０から剥離される。
【００４３】
下基材２０が剥離紙３０から剥離された配送ラベル１は、下基材２０の裏面に塗工された粘着剤４２ａが表出し、図２（ｂ）に示すように、この粘着剤４２ａによって、配送物が収納された被着体となる段ボール箱２に貼着される。
【００４４】
配送ラベル５０１が段ボール箱５０２に貼着された配送物が、配送情報印字領域１１ａ，１２ａに印字された配送情報１１ｄ，１２ｄに従って配送先に届けられると、配達票１１の押印領域１１ｂに受領印が押下され、図２（ｃ）に示すように、配達票１１が、剥離開始端部１１ｃを剥離開始端として下基材２０から剥離されていく。
【００４５】
この際、下基材２０のうち、配達票１１の剥離開始端部１１ｃに対向する領域には粘着剤４１ａ，４１ｂが塗工されておらずにのり抜き部１５となっているため、配達票１１を剥離開始端部１１ｃから捲り上げて容易に剥離し始めることができる。また、下基材２０の配達票１１に対向する領域に塗工された粘着剤４１ａは、配達票１１の周縁部に対向する領域に囲まれた領域において、剥離開始端部１１ｃに対向する領域から、配達票１１の剥離方向に断続的に延びた複数の直線状になっていることにより、配達票１１と下基材２０との全体の貼着力をある程度強いものとしながらも、配達票１１の剥離時にかかる応力が小さくなり、配達票１１が下基材２０から剥離した後にカールしにくくすることができる。
【００４６】
配達票１１は、裏面に剥離剤５１ａが塗工されていることにより下基材２０から剥離できるとともに、貼付票１２とはスリット１３を介して分離可能に連接しているため、図２（ｄ）に示すように、配送ラベル１から完全に分離することができる。
【００４７】
このように配送ラベル１から分離した配達票１１は、配送業者等にて持ち帰られることになる。
【００４８】
一方、上記のようにして配送された配送物の段ボール箱２には、貼付票１２が貼着されたままの状態となっている。この貼付票１２には、配送物の配送元及び配送先の住所や氏名あるいは名称等の配送情報１２ｄが配送情報印字領域１２ａに印字されているため、段ボール箱２から配送物を取り出した後に段ボール箱２を廃棄する際、配送情報１２ｄの漏洩を回避するために貼付票１２を段ボール箱２から剥離することが好ましい。
【００４９】
そこで、図２（ｅ）に示すように、段ボール箱２を廃棄する際、剥離開始端部１２ｂを剥離開始端として貼付票１２を下基材２０から剥離していく。貼付票１２は、裏面に積層された剥離層５２によって下基材２０から剥離可能に構成されているため、下基材２０から剥離することができる。この際、貼付票１２に対向する領域に貼着層４３を積層するために塗工された粘着剤４３ａの１つの網点の大きさが、貼付票１２の裏面に剥離層５２を積層するために塗工された剥離剤５２ａの１つの網点の大きさよりも小さいものとなっていることにより、粘着剤４３ａの１つの網点における貼付票１２と下基材２０との貼着面積が狭くなり、紙剥けを生じにくくすることができる。
【００５０】
ここで、貼付票１２は、下基材２０から剥離可能に構成されていることから、配送物に配送途中において下基材２０から不用意に剥離してしまう虞れがある。
【００５１】
ところが、本形態においては、貼付票１２の裏面に積層された剥離層５２による貼付票１２の下基材２０からの剥離強度が、配達票１１を下基材２０から剥離可能とするために配達票１１の裏面に積層された剥離層５１による配達票１１の下基材２０からの剥離強度よりも強いため、配達票１１を下基材２０から剥離する際の剥離力よりも大きな剥離力で貼付票１２を剥離しようとしない限り、貼付票１２が下基材２０から剥離することはなく、それにより、配送途中においては貼付票１２が剥離しにくい状態とすることができる。特に、剥離層５２が、貼付票１２の下基材２０との貼着面に網点状に剥離剤５２ａが塗工されることによって積層されていることにより、貼付票１２と下基材２０とは、剥離可能に貼着されているものの、剥離剤５２ａを介さずに貼着層４３のみによって貼着されている領域が存在し、それにより、配送途中において不用意に貼付票１２が下基材２０から剥離しにくくなる。このような構成とするためには、上述したように、粘着剤４３ａのインチあたりの印刷線数を、剥離剤５２ａのインチあたりの印刷線数よりも多くしたり、粘着剤４３ａの印刷濃度を剥離剤５２ａの印刷濃度よりも濃くしたりすることが考えられ、また、剥離剤５２ａを網点状に塗工するとともに、粘着剤４３ａを下基材２０の貼付票１２に対向する領域の全面に塗工することによっても実現することができる。
【００５２】
そして、図２（ｆ）に示すように、貼付票１２を下基材２０から完全に剥離すれば、段ボール箱２には配送情報１２ｄが残らず、配送情報の漏洩を回避しながら段ボール箱２を廃棄することができる。
【００５３】
（他の実施の形態）
図３は、本発明の配送ラベルの他の実施の形態を示す図であり、（ａ）は正面図、（ｂ）は（ａ）に示したＡ−Ａ’断面図、（ｃ）は（ａ）に示したＢ−Ｂ’断面図、（ｄ）は（ａ）に示したＣ−Ｃ’断面図、（ｅ）は上基材１１０の裏面の構成を示す図、（ｆ）は下基材１２０の表面の構成を示す図である。
【００５４】
本形態は図３に示すように、図１に示したものに対して、貼付票１１２の裏面に積層された剥離層１５２の構成が異なるものである。
【００５５】
本形態における剥離層１５２は、剥離剤１５２ａ，１５２ｂの塗工状態が互いに異なる２つの領域からなる。２つの領域のうち一方の領域においては、貼付票１１２を下基材１２０から剥離する際の剥離開始端部１１２ｂと、貼付票１１２の周縁部に囲まれた領域とに剥離剤１５２ｂが塗布されており、他方の領域においては、それ以外の領域、すなわち、貼付票１１２の周縁部のうち剥離開始端部１１２ｂを除く領域に剥離剤１５２ａが塗工されている。剥離剤１５２ｂは、剥離剤１５２ａよりも印刷濃度が濃くなるように塗布されており、それにより、剥離層１５２は、剥離開始端部１１２ｂと、貼付票１１２の周縁部に囲まれた領域とにおける下基材２０からの剥離強度が、それ以外の領域における剥離強度よりも弱くなっている。
【００５６】
このように構成された配送ラベル１０１においては、剥離層１５２を構成する剥離剤１５２ａ，１５２ｂが、貼付票１１２の周縁部のうち剥離開始端部１１２ｂを除く領域における貼付票１１２の下基材１２０からの剥離強度が強く、剥離開始端部１１２ｂと、貼付票１１２の周縁部に囲まれた領域とにおける貼付票１１２の下基材１２０からの剥離強度が弱くなるようにそれぞれ塗工されているため、配送物の配送途中等において貼付票１１２を不用意に剥離しにくくしながらも、配送物の配送後に貼付票を意図的に剥離し始めた場合に容易に剥離することができる。
【符号の説明】
【００５７】
１，１０１    配送ラベル
２    段ボール箱
１０，１１０    上基材
１１，１１１    配達票
１１ａ，１２ａ，１１１ａ，１１２ａ    配送情報印字領域
１１ｂ，１１１ｂ    押印領域
１１ｃ，１２ｂ，１１１ｃ，１１２ｂ    剥離開始端部
１１ｄ，１２ｄ    配送情報
１２，１１２    貼付票
１３，１１３    スリット
１５，１１５    のり抜き部
２０，１２０    下基材
３０，１３０    剥離紙
３１，１３１    剥離台紙
３２，５１ａ，５２ａ，１３２，１５１ａ，１５２ａ，１５２ｂ    剥離剤
４１〜４３，１４１〜１４３    貼着層
４１ａ，４１ｂ，４２ａ，４３ａ，１４１ａ，１４１ｂ，１４２ａ，１４３ａ    粘着剤
【図１】
2015085595.tif 000003
【図２】
2015085595.tif 000004
【図３】
2015085595.tif 000005
【図４】
2015085595.tif 000006
【図５】
2015085595.tif 000007